(57)【特許請求の範囲】
【請求項１】
車両用コンソール構造であって、
コンソール部と、
被充電機器に対して非接触で電力を送電可能な非接触充電部と、を備え、
前記コンソール部は前記非接触充電部よりも車体後方に位置し、
前記コンソール部は前記非接触充電部との仕切り部を有し、
前記仕切り部には車体前方に突出する突出部が設けられ、
前記非接触充電部の後端部には前記仕切り部側に延びる庇形状部が設けられ、
前記突出部と前記非接触充電部の庇形状部とが車体上方から見て重なるように配置され、
前記庇形状部は、前記突出部に対して鉛直方向における下方に位置するように設けられ、
前記非接触充電部の後端部において車幅方向に延びる平面部と、前記平面部から車幅方向に延びる溝部と、を有することを特徴とする車両用コンソール構造。
【請求項２】
前記溝部は、前記非接触充電部の車幅方向の側面部まで延びていることを特徴とする請求項１に記載の車両用コンソール構造。
【請求項３】
前記庇形状部は、鉛直方向において上方に突出する凸形状を有し、
前記凸形状の頂部から前記非接触充電部の車幅方向に向かって下り勾配に傾斜していることを特徴とする請求項１または２に記載の車両用コンソール構造。
【請求項４】
前記非接触充電部は、車体前方から車体後方に向かって上り勾配に傾斜するように配置されていることを特徴とする請求項１から３のいずれか１項に記載の車両用コンソール構造。
【請求項５】
前記非接触充電部の車幅方向の側面部の少なくともいずれかに隣接し、前記非接触充電部の上面部よりも上方に立設された側壁部を有することを特徴とする請求項１から４のいずれか１項に記載の車両用コンソール構造。
【請求項６】
前記非接触充電部は、
エアの流入口と、
エアの流出口と、
前記流入口から前記流出口にエアが流れる流路と、を有し、
前記流出口が前記非接触充電部における車体後方側に設けられていることを特徴とする請求項１から５のいずれか１項に記載の車両用コンソール構造。
【発明の詳細な説明】
【技術分野】
【０００１】
本発明は、車両用コンソール構造に関する。
【背景技術】
【０００２】
特許文献１には、ワイヤレス充電器が設けられた車両用コンソール構造として、ワイヤレス充電器のハウジングと支持面の間に吹出口を設け、空気が外部に流れ出るようにして加熱を防止する構造が記載されている。
【先行技術文献】
【特許文献】
【０００３】
【特許文献１】ドイツ特許第１０２０１６２１６９００
【発明の概要】
【発明が解決しようとする課題】
【０００４】
特許文献１では、吹出口から内部に液体が浸入するおそれがある。特許文献１では、吹出口から浸入する液体と基板の水平距離を確保することによって基板の被水（ワイヤレス充電器の損傷）を防止しているが、浸入する液体の量によっては、基板が被水するおそれがある。液体が浸入しやすい環境としては、例えば、ワイヤレス充電器を車両のコンソールに適用する場合が考えられる。
【０００５】
また、従来のワイヤレス充電器で広く採用されていた充電電力に対して、最近は充電電力が増大する傾向にあり、放熱性能の向上が求められている。したがって、従来技術のように、ワイヤレス充電器に熱を排出するなどの目的で開口部を設け、その開口部から内部へ液体が浸入して基板が被水するおそれは増大している状況にある。
【０００６】
本発明は、上記課題に鑑みてなされ、コンソールに配置される電子機器内部の被水を防止することを目的とする。
【課題を解決するための手段】
【０００８】
上記課題を解決し、目的を達成するために、本発明は、車両用コンソール構造であって、コンソール部と、被充電機器に対して非接触で電力を送電可能な非接触充電部と、を備え、前記コンソール部は前記非接触充電部よりも車体後方に位置し、前記コンソール部は前記非接触充電部との仕切り部を有し、前記仕切り部には車体前方に突出する突出部が設けられ、前記非接触充電部の後端部には前記仕切り部側に延びる庇形状部が設けられ、前記突出部と前記非接触充電部の庇形状部とが車体上方から見て重なるように配置され、前記庇形状部は、前記突出部に対して鉛直方向における下方に位置するように設けられ、前記非接触充電部の後端部において車幅方向に延びる平面部と、前記平面部から車幅方向に延びる溝部と、を有する。
【発明の効果】
【０００９】
本発明によれば、コンソールに配置される電子機器内部の被水を防止することができる。
【図面の簡単な説明】
【００１１】
【図１】本実施形態の車両用コンソール構造の構成を説明する斜視図（ａ）、（ｂ）である。
【図２】本実施形態の車両用コンソール構造の車幅方向の中央部分の断面図である。
【図３】本実施形態のワイヤレス充電器の外形を示す斜視図（ａ）、平面図（ｂ）、後面図（ｃ）、ｉ−ｉ断面図（ｄ）である。
【図４】本実施形態のワイヤレス充電器の内部構造を示す断面図である。
【図５】本実施形態のワイヤレス充電器の被水防止構造を説明する図である。
【発明を実施するための形態】
【００１２】
以下、添付図面を参照して実施形態を詳しく説明する。尚、以下の実施形態は特許請求の範囲に係る発明を限定するものではなく、また実施形態で説明されている特徴の組み合わせの全てが発明に必須のものとは限らない。実施形態で説明されている複数の特徴のうち２つ以上の特徴が任意に組み合わされてもよい。また、同一若しくは同様の構成には同一の参照番号を付し、重複した説明は省略する。
【００１３】
本実施形態の説明では、「前」、「前方」、「前側」、「後」、「後方」、「後側」などの方向の記載は車両の前後方向を示し、「左」、「右」、「側方」、「側部」などの方向の記載は車両の車幅方向を示すものとする。
【００１４】
図１は、本実施形態の車両用コンソール構造の構成を説明する斜視図（ａ）、（ｂ）である。図２は、本実施形態の車両用コンソール構造の車幅方向の中央部分の断面図である。図３は、本実施形態のワイヤレス充電器の外形を示す斜視図（ａ）、平面図（ｂ）、後面図（ｃ）、ｉ−ｉ断面図（ｄ）である。図４は、本実施形態のワイヤレス充電器の内部構造を示す断面図である。図５は、本実施形態のワイヤレス充電器の被水防止構造を説明する図である。
【００１５】
図１に示すように、本実施形態の車両用コンソール構造は、車室内における車幅方向の中央部に設けられているコンソールユニット１を有する。コンソールユニット１は、車体前後方向における前側の前壁部２と、車幅方向の両側の左右の側壁部３、４と、を備え、左右の側壁部３、４に掛け渡された仕切り部５により分割された複数の開口６、７が形成されている。本実施形態では、例えば、仕切り部５により分割された前部開口６、後部開口７が形成されている。
【００１６】
前部開口６には、ワイヤレス充電器２０が配置される。ワイヤレス充電器２０は、左右の側面部に複数（例えば、４箇所）の取付部２１を有し、これらの取付部２１が前部開口６の左右の側壁部６ａ、６ｂの裏面にビスなどで固定される。これにより、ワイヤレス充電器２０によりコンソールユニット１の前部開口６が閉塞される。また、ワイヤレス充電器２０は車両前方から車両後方に向かって上り勾配に傾斜するような姿勢でコンソールユニット１の前部開口６に取り付けられる。ワイヤレス充電器２０がコンソールユニット１に取り付けられた状態において、ワイヤレス充電器２０の上面部３１に被充電機器１００（図２参照）が配置されると、被充電機器１００に対して非接触で電力を送電可能であり、被充電機器１００はワイヤレス充電器２０から受け取った電力によりバッテリの充電などが可能となる。なお、被充電機器１００は、例えばスマートフォンやタブレット端末などの携帯型電子機器である。
コンソール部８は、後部開口７の左右の側壁部３、４と仕切り部５から構成されており、仕切り部５がコンソール部８の前端部を構成している。コンソールユニット１には、ワイヤレス充電器２０とコンソール部８の２つが車体前方から順に配置されている。ワイヤレス充電器２０がコンソールユニット１に取り付けられた状態において、ワイヤレス充電器２０の後端部２０ａとコンソールユニット部７の仕切り部５の車体前方に突出する突出部５ａとは車体上方から見て重なるように配置され、ワイヤレス充電器２０と仕切り部５との合わせ部分１２（図２参照）には後述する被水防止構造が設けられている。後部開口７には、変速機の操作レバー（シフトレバーやセレクトレバー）やパーキングブレーキの操作レバー（サイドレバー）などが配置される。
【００１７】
図２に示すように、本実施形態の被水防止構造は、ワイヤレス充電器２０と仕切り部５の合わせ部分１２の隙間部分から内部に浸入する水などの液体がワイヤレス充電器２０の内部に浸入することを防止する庇形状部４０を備える。庇形状部４０は、仕切り部５側に延びる平面形状を有し、仕切り部５の突出部５ａに対して鉛直方向における下方に位置し車体前後方向に重なるように設けられている。庇形状部４０は、ワイヤレス充電器２０と仕切り部５の合わせ部分１２の隙間部分に浸入する液体を、ワイヤレス充電器２０の車幅方向における左右の側面部３３ｂ、３３ｄ（図３参照）の少なくともいずれかの端部側に誘導し、排出する機能を有する。
【００１８】
ワイヤレス充電器２０は、被充電機器１００またはワイヤレス充電器２０の発熱による温度上昇を抑制するために、不図示のファンなどにより外部からエアなどの流体を吸入し、機器内部に流通させて排出する冷却エア通路２３〜２５が形成されている。
【００１９】
図３および図４に示すように、ワイヤレス充電器２０は、外形を構成する中空の枠体３０を有する。枠体３０は、上面部３１、下面部３２、前後左右の４つの側面部３３ａ〜３３ｄを有し、上面部３１および下面部３２の縦横の長さに対して側面部３３ａ〜３３ｄの高さが低い箱体状である。枠体３０の内部には、メイン基板３４、コイルブラケット３５、磁性体３６、コイル３７などが配置されている。
【００２０】
また、枠体３０の内部に形成された冷却エア通路２３〜２５は、流入口２３、流路２４、流出口２５を含む。流入口２３は枠体３０の前部において下方に開口している。流路２４は枠体３０の上面部３１の下面と枠体３０の内部の部品を保持する保持部材３８の上面との間に形成され、流入口２３と流出口２５との間を連通する隙間を形成している。流出口２５は枠体３０の後部において後方に開口している。冷却エア通路２３〜２５は、枠体３０の前部の流入口２３から、枠体３０の上面部３１の下面と保持部材３８の上面の隙間を通って、後部の流出口２５にエアを流通させ、ワイヤレス充電器２０やその上に配置された被充電機器１００またはワイヤレス充電器２０の発熱による温度上昇を抑制する。
【００２１】
このように冷却エア通路２３〜２５を設け、ワイヤレス充電器２０が車両前方から車両後方に向かって上り勾配に傾斜するような姿勢でコンソールユニット１の前部開口６に取り付けられるので、温かい空気が上方に設けられた流出口２５に向かうため排熱性能が向上する。
【００２２】
また、また、ワイヤレス充電器２０は、その上面部３１が車体前方から車両後方に向かって上り勾配に傾斜している。これにより、車両発進時などに端末が移動することが防止される。
【００２３】
また、ワイヤレス充電器２０の左右の側面部３３ｂ、３３ｄのうち少なくとも一方は、コンソールユニット１の前部開口６の左右の側壁部６ａ、６ｂと隣接し、ワイヤレス充電器２０の上面部３１よりも上方に立設している。このような構成により、ワイヤレス充電器２０の上面部３１に配置されている被充電機器１００やその他の物品が左右のいずれかに落下してしまうことを防止できる。なお、コンソールユニット１の前部開口６の左右の側壁部６ａ、６ｂの高さは、ワイヤレス充電器２０の上面部３１よりも高い構成に限らず、例えば、左右の側壁部６ａ、６ｂのいずれかまたは両方がワイヤレス充電器２０の上面部３１と同等の高さまたは低い構成であってもよい。
【００２４】
また、ワイヤレス充電器２０の上面部３１が、被充電機器１００やその他の物品の収納スペースとしても利用可能となる。
【００２５】
また、ワイヤレス充電器２０を傾斜させることによって仕切り部５との合わせ部分１２に隙間ができやすくなること、並びに、流出口２５が車体後方側であって、仕切り部５との合わせ部分１２の近くに設けられていることで、ワイヤレス充電器２０と仕切り部５との合わせ部分１２の隙間部分から液体が浸入するおそれが増加するが、庇形状部４０を設けたことによってワイヤレス充電器２０の内部の被水が防止される。
【００２６】
前後左右の側面部３３ａ〜３３ｄは、車体前後方向における前側の前面部３３ａと、後側の後面部３３ｃと、車幅方向の両側の左右の側面部３３ｂ、３３ｄと、を備え、左右の側面部３３ｂ、３３ｄに取付部２１が設けられる。
【００２７】
庇形状部４０は、ワイヤレス充電器２０における、枠体３０の後面部３３ｃ（上面部３１の後端部２０ａ）から車体後方に延びるように突出して設けられている。庇形状部４０は、枠体３０の後面部３３ｃにおいて車幅方向の中央部から左右の側面部３３ｂ、３３ｄの方向に所定の範囲に設けられている。庇形状部４０は、冷却エア通路２３〜２５における流出口２５の直上方に設けられ、ワイヤレス充電器２０と仕切り部５との合わせ部分１２から液体が浸入しても流出口２５から機器の内部に流入しないように左右の側面部３３ｂ、３３ｄの方向に排出する。
【００２８】
図５に示すように、ワイヤレス充電器２０の枠体３０の後面部３３ｃ（上面部３１の後端部２０ａ）における、庇形状部４０の車幅方向の両側には溝部４１が連続して形成されている。溝部４１は、庇形状部４０の左右両端４０ａから下方に傾斜して車幅方向両側に延び、さらに左右の側面部３３ｂ、３３ｄまで曲折して連続して延びる延長部４２を有する。このような被水防止構造を設けたことにより、ワイヤレス充電器２０と仕切り部５との合わせ部分１２の隙間部分に浸入した液体は庇形状部４０を通って両側の溝部４１に誘導されて排水されるため、ワイヤレス充電器２０の内部への液体の浸入が防止される。
【００２９】
また、ワイヤレス充電器２０と仕切り部５との合わせ部分１２の隙間部分に浸入した液体を隙間部分から遠ざけるように流すことができ、ワイヤレス充電器２０の被水のおそれをより低下させることができる。
【００３０】
本実施形態の被水防止構造によれば、ワイヤレス充電器２０の内部の電気回路であるメイン基板３４やコイル３７が被水することが防止される。
【００３１】
なお、図５（ｄ）に示すように、庇形状部４０を鉛直方向において上方に突出する凸形状とし、凸形状の頂部４０ｃからワイヤレス充電器２０の左右の側面部３３ｂ、３３ｄに向かって下り勾配に傾斜した構成としてもよい。このように構成することで、ワイヤレス充電器２０と仕切り部５との合わせ部分１２の隙間部分に浸入した液体を溝部４１に向けてより効果的に排水することができるようになる。
【００３２】
［実施形態のまとめ］
＜第１の態様＞
車両用コンソール構造であって、
コンソール部８と、
被充電機器１００に対して非接触で電力を送電可能な非接触充電部２０と、を備え、
前記コンソール部８は前記非接触充電部２０よりも車体後方に位置し、
前記コンソール部８は前記非接触充電部２０との仕切り部５を有し、
前記仕切り部５には車体前方に突出する突出部５ａが設けられ、
前記非接触充電部２０の後端部２０ａには前記仕切り部５側に延びる庇形状部４０が設けられ、
前記突出部５ａと前記非接触充電部２０の庇形状部４０とが車体上方から見て重なるように配置され、
前記庇形状部４０が、前記突出部５ａに対して鉛直方向における下方に位置するように設けられている。
【００３３】
第１の態様によれば、非接触充電部２０と仕切り部５との合わせ部分１２の隙間部分から浸入する液体が非接触充電部２０の内部に浸入することが防止される。
【００３４】
＜第２の態様＞
第１の態様において、前記庇形状部４０は、前記非接触充電部２０の後端部２０ａにおいて車幅方向に延びる平面部４０と、前記平面部４０から車幅方向に延びる溝部４１を有する。
【００３５】
第２の態様によれば、非接触充電部２０と仕切り部５との合わせ部分１２の隙間部分に浸入した液体は庇形状部４０を通って両側の溝部４１に誘導されて排水されるため、非接触充電部２０の内部への液体の浸入が防止される。
【００３６】
＜第３の態様＞
第１または第２の態様において、前記溝部４１は、前記非接触充電部２０の車幅方向の側面部３３ｂ、３３ｄまで延びている。
【００３７】
第３の態様によれば、非接触充電部２０と仕切り部５との合わせ部分１２の隙間部分に浸入した液体を隙間部分から遠ざけるように流すことができ、非接触充電部２０の被水のおそれをより低下させることができる。
【００３８】
＜第４の態様＞
第１から第３のいずれかの態様において、前記庇形状部４０は、鉛直方向において上方に突出する凸形状を有し、
前記凸形状の頂部４０ａから前記非接触充電部２０の車幅方向に向かって下り勾配に傾斜している。
【００３９】
第４の態様によれば、非接触充電部２０と仕切り部５との合わせ部分１２の隙間部分に浸入した液体を側面部３３ｂ、３３ｄに向けてより効果的に排水することができる。
【００４０】
＜第５の態様＞
第１から第４のいずれかの態様において、前記非接触充電部２０は、車体前方から車体後方に向かって上り勾配に傾斜するように配置されている。
【００４１】
第５の態様によれば、車両発進時などに端末が移動することが防止される。
【００４２】
＜第６の態様＞
第１から第５のいずれかの態様において、前記非接触充電部２０の車幅方向の側面部３３ｂ、３３ｄの少なくともいずれかに隣接し、前記非接触充電部２０の上面部３１よりも上方に立設された側壁部６ａ、６ｂを有する。
【００４３】
第６の態様によれば、非接触充電部２０の上面部３１に配置されている被充電機器１００やその他の物品が左右のいずれかに落下してしまうことを防止できる。
【００４４】
また、非接触充電部２０の上面部３１が、被充電機器１００やその他の物品の収納スペースとしても利用可能となる。
【００４５】
＜第７の態様＞
第１から第６のいずれかの態様において、前記非接触充電部２０は、
エアの流入口２３と、
エアの流出口２５と、
前記流入口２３から前記流出口２５にエアが流れる流路２４と、を有し、
前記流出口２５が前記非接触充電部２０における車体後方側に設けられている。
【００４６】
第７の態様によれば、非接触充電部２０が車体前方から車体後方に向かって上り勾配に傾斜するように配置されている場合、温かい空気が上方に設けられた流出口２５に向かうため排熱性能が向上する。また、流出口２５が車体後方側に設けられていることで非接触充電部２０と仕切り部５との合わせ部分１２の隙間部分から液体が浸入するおそれが増加するが、庇形状部４０を設けたことによって非接触充電部２０の内部の被水が防止される。
【００４７】
＜第８の態様＞
車両用コンソール構造であって、
コンソール部８と、
被充電機器１００に対して非接触で電力を送電可能な非接触充電部２０と、を備え、
前記非接触充電部２０は、
エアの流入口２３と、エアの流出口２５と、前記流入口２３から前記流出口２５にエアが流通可能な流路２４と、を有し、
前記流出口２５が前記非接触充電部２０における車体後方側に設けられ、
車体前方から車体後方に向かって上り勾配に傾斜するように配置され、
前記流出口２５が前記流入口２３よりも鉛直方向の上方に位置する。
【００４８】
第８の態様によれば、非接触充電部２０が車両前方から車両後方に向かって上り勾配に傾斜するような姿勢で配置されるので、温かい空気が上方に設けられた流出口２５に向かうため排熱性能が向上する。
【符号の説明】
【００４９】
１…コンソールユニット
２…前壁部
３、４…側壁部
５…仕切り部
５ａ…突出部
６…前部開口
６ａ、６ｂ…前部開口６の側壁部
７…後部開口
８…コンソール部
１２…ワイヤレス充電器２０と仕切り部５との合わせ部分
２０…ワイヤレス充電器（非接触充電部）
２０ａ…後端部
２１…取付部
２３〜２５…冷却エア通路
２３…流入口
２４…流路
２５…流出口
３０…枠体
３１…上面部
３２…下面部
３３ａ…前面部
３３ｂ、３３ｄ…側面部
３３ｃ…後面部
３４…メイン基板
３５…コイルブラケット
３６…磁性体
３７…コイル
３８…保持部材
４０…庇形状部
４０ａ、４０ｂ…庇形状部４０の左右両端
４０ｃ…凸形状の頂部
４１…溝部
４２…延長部
１００…被充電機器
【図１】
0006963595.tif 000002
【図２】
0006963595.tif 000003
【図３】
0006963595.tif 000004
【図４】
0006963595.tif 000005
【図５】
0006963595.tif 000006